【手続補正書】
【提出日】平成31年3月21日(2019.3.21)
【手続補正１】
【補正対象書類名】特許請求の範囲
【補正対象項目名】全文
【補正方法】変更
【補正の内容】
【特許請求の範囲】
【請求項１】
不動産または動産であるレンタル対象をユーザにオンラインでレンタルするオンライン・レンタル・システムであって、
レンタル対象が不動産である場合にはその不動産の位置が正規レンタル基準位置、レンタル対象が動産である場合にはその動産に関連付けられる不動産の位置が正規レンタル基準位置とされ、その正規レンタル基準位置に少なくとも１つ設置される発信機であって、固有の識別信号を発信するものと、
前記レンタル対象を利用することを希望するユーザの携帯端末と、
ユーザの携帯端末と無線通信することにより、前記レンタル対象についてレンタル・サービスを提供する管理サーバと
を含み、
ユーザの携帯端末は、
地図上におけるユーザの現在位置を測定する測位部と、
前記発信機から前記識別信号を受信を測定する受信部と、
前記発信機から受信する識別信号と、前記発信機に対応する前記レンタル対象に対応する前記正規レンタル基準位置を表す地理的座標との間の予め定られた対応関係を記憶する記憶部と、
画面と、
その画面上に、全体地図のうちの一部であってユーザの移動に連動して変化するものを切り取って部分地図として表示し、その部分地図上に前記正規レンタル基準位置であって前記受信した識別信号に対応するものが存在する場合には、その正規レンタル基準位置も前記画面上に表示し、前記部分地図上にユーザの現在位置が存在する場合には、そのユーザの現在位置も前記画面上に表示する第１表示部と、
ユーザの現在位置と前記正規レンタル基準位置とが一緒に前記画面上に表示されている場合には、前記正規レンタル基準位置に対応するレンタル対象の使用開始時には、ユーザが使用開始リクエストを発するために操作される使用開始ボタン、使用終了時には、ユーザが使用終了リクエストを発するために操作される使用終了ボタンを前記画面上に表示し、ユーザの現在位置と前記正規レンタル基準位置とが一緒に前記画面上に表示されていない場合には、前記使用開始ボタンおよび前記使用終了ボタンを前記画面上に表示しないことおよび／または警告を表示することを行う第２表示部と
を含むオンライン・レンタル・システム。
【請求項２】
前記レンタル対象は、宿泊施設、滞在施設、コインロッカー、駐車場、乗物、家具、衣服類、電気製品もしくはその付属品または記録媒体である請求項１に記載のオンライン・レンタル・システム。
【請求項３】
不動産または動産であるレンタル対象をユーザにオンラインでレンタルするオンライン・レンタル方法であって、
レンタル対象が不動産である場合にはその不動産の位置が正規レンタル基準位置、レンタル対象が動産である場合にはその動産に関連付けられる不動産の位置が正規レンタル基準位置とされ、その正規レンタル基準位置に少なくとも１つ、固有の識別信号を発信する発信機が設置され、
前記レンタル対象を利用することを希望するユーザの携帯端末と、前記レンタル対象についてレンタル・サービスを提供する管理サーバとが無線通信し、
ユーザの携帯端末は、前記発信機から受信する識別信号と、前記発信機に対応する前記レンタル対象に対応する前記正規レンタル基準位置を表す地理的座標との間の予め定められた対応関係を記憶しており、
当該オンライン・レンタル方法は、
ユーザの携帯端末が、地図上におけるユーザの現在位置を測定する測位工程と、
ユーザの携帯端末が、前記発信機から前記識別信号を受信を測定する受信工程と、
ユーザの携帯端末が、画面上に、全体地図のうちの一部であってユーザの移動に連動して変化するものを切り取って部分地図として表示し、その部分地図上に前記正規レンタル基準位置であって前記受信した識別信号に対応するものが存在する場合には、その正規レンタル基準位置も前記画面上に表示し、前記部分地図上にユーザの現在位置が存在する場合には、そのユーザの現在位置も前記画面上に表示する第１表示工程と、
ユーザの携帯端末が、ユーザの現在位置と前記正規レンタル基準位置とが前記画面上に一緒に表示されている場合には、前記正規レンタル基準位置に対応するレンタル対象の使用開始時には、ユーザが使用開始リクエストを発するために操作される使用開始ボタン、使用終了時には、ユーザが使用終了リクエストを発するために操作される使用終了ボタンを前記画面上に表示し、ユーザの現在位置と前記正規レンタル基準位置とが一緒に前記画面上に表示されていない場合には、前記使用開始ボタンおよび前記使用終了ボタンを前記画面上に表示しないことおよび／または警告を表示することを行う第２表示工程と
を含むオンライン・レンタル方法。
【請求項４】
前記レンタル対象は、宿泊施設、滞在施設、コインロッカー、駐車場、乗物、家具、衣服類、電気製品もしくはその付属品または記録媒体である請求項３に記載のオンライン・レンタル方法。
【請求項５】
請求項１ないし４のいずれかに記載の携帯端末としてコンピュータを機能させるためのプログラム。
【請求項６】
請求項５に記載のプログラムをコンピュータ読み取り可能に記録した記録媒体。
【手続補正２】
【補正対象書類名】明細書
【補正対象項目名】００２４
【補正方法】変更
【補正の内容】
【００２４】
その課題を解決するために、本発明の第１のアスペクトによれば、不動産または動産であるレンタル対象をユーザにオンラインでレンタルするオンライン・レンタル・システムであって、
レンタル対象が不動産である場合にはその不動産の位置が正規レンタル基準位置、レンタル対象が動産である場合にはその動産に関連付けられる不動産の位置が正規レンタル基準位置とされ、その正規レンタル基準位置に少なくとも１つ設置される発信機であって、固有の識別信号を発信するものと、
前記レンタル対象を利用することを希望するユーザの携帯端末と、
ユーザの携帯端末と無線通信することにより、前記レンタル対象についてレンタル・サービスを提供する管理サーバと
を含み、
ユーザの携帯端末は、
地図上におけるユーザの現在位置を測定する測位部と、
前記発信機から前記識別信号を受信を測定する受信部と、
前記発信機から受信する識別信号と、前記発信機に対応する前記レンタル対象に対応する前記正規レンタル基準位置を表す地理的座標との間の予め定られた対応関係を記憶する記憶部と、
画面と、
その画面上に、全体地図のうちの一部であってユーザの移動に連動して変化するものを切り取って部分地図として表示し、その部分地図上に前記正規レンタル基準位置であって前記受信した識別信号に対応するものが存在する場合には、その正規レンタル基準位置も前記画面上に表示し、前記部分地図上にユーザの現在位置が存在する場合には、そのユーザの現在位置も前記画面上に表示する第１表示部と、
ユーザの現在位置と前記正規レンタル基準位置とが一緒に前記画面上に表示されている場合には、前記正規レンタル基準位置に対応するレンタル対象の使用開始時には、ユーザが使用開始リクエストを発するために操作される使用開始ボタン、使用終了時には、ユーザが使用終了リクエストを発するために操作される使用終了ボタンを前記画面上に表示し、ユーザの現在位置と前記正規レンタル基準位置とが一緒に前記画面上に表示されていない場合には、前記使用開始ボタンおよび前記使用終了ボタンを前記画面上に表示しないことおよび／または警告を表示することを行う第２表示部と
を含むオンライン・レンタル・システムが提供される。
また、本発明の第２のアスペクトによれば、
不動産または動産であるレンタル対象をユーザにオンラインでレンタルするオンライン・レンタル方法であって、
レンタル対象が不動産である場合にはその不動産の位置が正規レンタル基準位置、レンタル対象が動産である場合にはその動産に関連付けられる不動産の位置が正規レンタル基準位置とされ、その正規レンタル基準位置に少なくとも１つ、固有の識別信号を発信する発信機が設置され、
前記レンタル対象を利用することを希望するユーザの携帯端末と、前記レンタル対象についてレンタル・サービスを提供する管理サーバとが無線通信し、
ユーザの携帯端末は、前記発信機から受信する識別信号と、前記発信機に対応する前記レンタル対象に対応する前記正規レンタル基準位置を表す地理的座標との間の予め定められた対応関係を記憶しており、
当該オンライン・レンタル方法は、
ユーザの携帯端末が、地図上におけるユーザの現在位置を測定する測位工程と、
ユーザの携帯端末が、前記発信機から前記識別信号を受信を測定する受信工程と、
ユーザの携帯端末が、画面上に、全体地図のうちの一部であってユーザの移動に連動して変化するものを切り取って部分地図として表示し、その部分地図上に前記正規レンタル基準位置であって前記受信した識別信号に対応するものが存在する場合には、その正規レンタル基準位置も前記画面上に表示し、前記部分地図上にユーザの現在位置が存在する場合には、そのユーザの現在位置も前記画面上に表示する第１表示工程と、
ユーザの携帯端末が、ユーザの現在位置と前記正規レンタル基準位置とが前記画面上に一緒に表示されている場合には、前記正規レンタル基準位置に対応するレンタル対象の使用開始時には、ユーザが使用開始リクエストを発するために操作される使用開始ボタン、使用終了時には、ユーザが使用終了リクエストを発するために操作される使用終了ボタンを前記画面上に表示し、ユーザの現在位置と前記正規レンタル基準位置とが一緒に前記画面上に表示されていない場合には、前記使用開始ボタンおよび前記使用終了ボタンを前記画面上に表示しないことおよび／または警告を表示することを行う第２表示工程と
を含むオンライン・レンタル方法が提供される。
また、本発明の第１側面によれば、不動産または動産であるレンタル対象をユーザにオンラインでレンタルするオンライン・レンタル・システムであって、
レンタル対象が不動産である場合にはその不動産の位置が正規レンタル基準位置、レンタル対象が動産である場合にはその動産に関連付けられる不動産の位置が正規レンタル基準位置とされ、その正規レンタル基準位置に少なくとも１つ設置される発信機であって、
その課題を解決するために、本発明の第１側面によれば、不動産または動産であるレンタル対象をユーザにオンラインでレンタルするオンライン・レンタル・システムであって、
識別信号を局地的に発信する非接触式または接触式のものと、
前記レンタル対象を利用することを希望するユーザの携帯端末と、
ユーザの携帯端末と無線通信することにより、前記レンタル対象についてレンタル・サービスを提供する管理サーバと
を含み、
ユーザの携帯端末は、
地図上におけるユーザの現在位置を測定する測位部と、
前記発信機から前記識別信号を受信を測定する受信部と、
前記発信機から受信する識別信号と、前記発信機に対応する前記レンタル対象に対応する前記正規レンタル基準位置を表す地理的座標との間の予め定られた対応関係を記憶する記憶部と、
画面と、
その画面上に、全体地図のうちの一部であってユーザの移動に連動して変化するものを切り取って部分地図として表示し、その部分地図上に前記正規レンタル基準位置であって前記受信した識別信号に対応するものが存在する場合には、その正規レンタル基準位置も前記画面上に表示し、前記部分地図上にユーザの現在位置が存在する場合には、そのユーザの現在位置も前記画面上に表示する表示部と、
前記画面上に、ユーザの現在位置と前記正規レンタル基準位置とが一緒に表示されている場合に、前記正規レンタル基準位置に対応するレンタル対象を、ユーザによって選択されるレンタル対象として選択する選択部と
を含むオンライン・レンタル・システムが提供される。
【手続補正３】
【補正対象書類名】明細書
【補正対象項目名】０１８７
【補正方法】変更
【補正の内容】
【０１８７】
各回の実行時には、まず、ステップＳ３０１において、前記入庫済フラグがオンであるか否か、すなわち、今回のユーザがいずれかの駐車場２０に入庫済みで、今回の駐車サービスが既に開始されているか否かが判定される。今回は、前記入庫済フラグがオフである（入庫前である）と仮定すれば、ステップＳ３０１の判定がＮＯとなり、直ちに、この出庫許否判定プログラムの一回の実行が終了する。
【手続補正４】
【補正対象書類名】明細書
【補正対象項目名】０１９９
【補正方法】変更
【補正の内容】
【０１９９】
その後、ステップＳ３１２において、ユーザが入庫駐車場から出庫することが禁止される。この場合、前記出庫ボタンが前記画面上に表示されない。そのため、ユーザによる出庫リクエストの入力は不可能である。この際、前記画面上に、警告のためのメッセージが表示される。